(57)【要約】【課題】  処理されない記録媒体と後処理される記録媒体が混在する混在モードを有し、混在モードで１つのグループにおいては、後処理されない記録媒体と後処理される記録媒体とを同じ記録媒体積載位置に積載可能な画像形成装置システムを提供する。【解決手段】  記録媒体に画像を形成することにより、原稿に対して１つまたは複数グループの印刷物を生成する画像形成装置と、前記画像形成装置から排出された記録媒体を積載する積載トレイを備え、前記画像形成装置から排出された記録媒体に後処理を行う後処理装置とを有する画像形成システムであって、後処理されない記録媒体と後処理される記録媒体とがグループ内で混在する混在モードが設定されたら、前記グループ内において、後処理されない記録媒体と後処理される記録媒体とを前記積載トレイ上の同じ記録媒体積載位置に積載するように制御する制御手段を備えた画像形成システム。【選択図】        図８
2006182561.tif 000002
【特許請求の範囲】
【請求項１】
記録媒体に画像を形成することにより、原稿に対して１つまたは複数グループの印刷物を生成する画像形成装置と、
前記画像形成装置から排出された記録媒体を積載する積載トレイを備え、前記画像形成装置から排出された記録媒体に後処理を行う後処理装置と、
を有する画像形成システムであって、
後処理されない記録媒体と後処理される記録媒体とがグループ内で混在する混在モードが設定されたら、前記グループ内において、後処理されない記録媒体と後処理される記録媒体とを前記積載トレイ上の同じ記録媒体積載位置に積載するように制御する制御手段を備えたことを特徴とする画像形成システム。
【請求項２】
前記原稿に対して複数グループの印刷物を生成する場合、グループ毎に前記記録媒体積載位置を変更することを特徴とする請求項１に記載の画像形成システム。
【請求項３】
前記混在モードが設定された場合で、かつ前記原稿に対して複数グループの印刷物を生成する場合、複数グループの印刷物全ての記録媒体積載位置を同一とすることを特徴とする請求項１に記載の画像形成システム。
【請求項４】
前記制御手段は、前記混在モードが設定されたら、複数グループ全ての記録媒体の前記記録媒体積載位置を同一とする第１のモードと、前記混在モードが設定されたら、前記グループ内において、後処理されない記録媒体と後処理される記録媒体とを前記積載トレイ上の同じ記録媒体積載位置に積載し、グループ毎に前記記録媒体積載位置を変更する第２のモードと、前記混在モードが設定されてもグループ内で記録媒体積載位置を変更する第３のモードと、を有することを特徴とする請求項１に記載の画像形成システム。
【請求項５】
前記混在モードが設定されたら、前記記録媒体積載位置を変更する設定がされていても、前記グループ内において、後処理されない記録媒体と後処理される記録媒体とを前記積載トレイ上の同じ記録媒体積載位置に積載するように制御することを特徴とする請求項１から３のいずれか１項に記載の画像形成システム。
【請求項６】
前記制御手段は、前記混在モードが設定されているか否かを判断する第１判断部とグループの切り替わりであるかどうかを判断する第２判断部とを有し、前記第１判断部及び前記第２判断部の判断結果に基づき、前記記録媒体積載位置を制御することを特徴とする請求項１から５のいずれか１項に記載の画像形成システム。
【請求項７】
前記第１判断部が混在モードが設定されていると判断した場合、前記制御手段は、前記第２判断部がグループの切り替わりでないと判断した場合には前記記録媒体積載位置を変更せず、前記第２判断部がグループの切り替わりであると判断した場合には前記記録媒体積載位置を変更することを特徴とする請求項６に記載の画像形成システム。
【請求項８】
前記制御手段はジョブの切り替わりであるかどうかを判断する第３判断部を有し、前記第１判断部、前記第２判断部及び前記第３判断部の判断結果に基づき、前記記録媒体積載位置を制御することを特徴とする請求項６または７に記載の画像形成システム。
【請求項９】
前記後処理は、前記画像形成装置から排出された記録媒体に加工を施す処理であることを特徴とする請求項１から８のいずれか１項に記載の画像形成システム。
【請求項１０】
前記グループは、前記原稿に対して生成する印刷物の部数であることを特徴とする請求項１から９のいずれか１項に記載の画像形成システム。
【請求項１１】
記録媒体に画像を形成することにより、原稿に対して１つまたは複数グループの印刷物を生成する画像形成装置であって、
前記画像形成装置から排出された記録媒体に後処理を行う後処理装置と接続可能であり、
後処理されない記録媒体と後処理される記録媒体とがグループ内で混在する混在モードが設定されたら、前記グループ内において、後処理されない記録媒体と後処理される記録媒体とを前記後処理装置の積載トレイ上の同じ記録媒体積載位置に積載するように後処理装置を制御する制御手段を備えたことを特徴とする画像形成装置。
【請求項１２】
前記原稿に対して複数グループの印刷物を生成する場合、グループ毎に前記後処理装置の前記記録媒体積載位置を変更することを特徴とする請求項１１に記載の画像形成装置。
【請求項１３】
前記混在モードが設定された場合で、かつ前記原稿に対して複数グループの印刷物を生成する場合、複数グループの印刷物全ての前記後処理装置の記録媒体積載位置を同一とすることを特徴とする請求項１１に記載の画像形成装置。
【請求項１４】
前記制御手段は、前記混在モードが設定されたら、複数グループ全ての記録媒体の前記記録媒体積載位置を同一とする第１のモードと、前記混在モードが設定されたら、前記グループ内において、後処理されない記録媒体と後処理される記録媒体とを前記後処理装置の前記積載トレイ上の同じ記録媒体積載位置に積載し、グループ毎に前記記録媒体積載位置を変更する第２のモードと、前記混在モードが設定されてもグループ内で記録媒体積載位置を変更する第３のモードと、を有することを特徴とする請求項１１に記載の画像形成装置。
【請求項１５】
前記混在モードが設定されたら、前記後処理装置の前記記録媒体積載位置を変更する設定がされていても、前記グループ内において、後処理されない記録媒体と後処理される記録媒体とを前記積載トレイ上の同じ記録媒体積載位置に積載するように制御することを特徴とする請求項１１から１３のいずれか１項に記載の画像形成装置。
【請求項１６】
前記制御手段は、前記混在モードが設定されているか否かを判断する第１判断部とグループの切り替わりであるかどうかを判断する第２判断部とを有し、前記第１判断部及び前記第２判断部の判断結果に基づき、前記後処理装置の前記記録媒体積載位置を制御することを特徴とする請求項１１から１５のいずれか１項に記載の画像形成装置。
【請求項１７】
前記第１判断部が混在モードが設定されていると判断した場合、前記制御手段は、前記第２判断部がグループの切り替わりでないと判断した場合には前記後処理装置の前記記録媒体積載位置を変更せず、前記第２判断部がグループの切り替わりであると判断した場合には前記記録媒体積載位置を変更することを特徴とする請求項１６に記載の画像形成装置。
【請求項１８】
前記制御手段はジョブの切り替わりであるかどうかを判断する第３判断部を有し、前記第１判断部、前記第２判断部及び前記第３判断部の判断結果に基づき、前記記録媒体積載位置を制御することを特徴とする請求項１６または１７に記載の画像形成装置。
【請求項１９】
前記後処理は、前記画像形成装置から排出された記録媒体に加工を施す処理であることを特徴とする請求項１１から１８のいずれか１項に記載の画像形成装置。
【請求項２０】
前記グループは、前記原稿に対して生成する印刷物の部数であることを特徴とする請求項１１から１９のいずれか１項に記載の画像形成装置。
【請求項２１】
記録媒体に画像を形成することにより、原稿に対して１つまたは複数グループの印刷物を生成する画像形成装置と、前記画像形成装置から排出された記録媒体を積載する積載トレイを備え、前記画像形成装置から排出された記録媒体に後処理を行う後処理装置と、を有する画像形成システムが実行するプログラムであって、
後処理されない記録媒体と後処理される記録媒体とがグループ内で混在する混在モードが設定されたら、前記グループ内において、後処理されない記録媒体と後処理される記録媒体とを前記積載トレイ上の同じ記録媒体積載位置に積載するように前記画像形成システムを制御することを特徴とするプログラム。
【請求項２２】
前記原稿に対して複数グループの印刷物を生成する場合、グループ毎に前記記録媒体積載位置を変更するように前記画像形成システムを制御することを特徴とする請求項２１に記載のプログラム。
【請求項２３】
前記混在モードが設定された場合で、かつ前記原稿に対して複数グループの印刷物を生成する場合、複数グループの印刷物全ての記録媒体積載位置を同一とするように前記画像形成システムを制御することを特徴とする請求項２１に記載のプログラム。
【請求項２４】
前記混在モードが設定されたら、複数グループ全ての記録媒体の前記記録媒体積載位置を同一とする第１のモードと、前記混在モードが設定されたら、前記グループ内において、後処理されない記録媒体と後処理される記録媒体とを前記積載トレイ上の同じ記録媒体積載位置に積載し、グループ毎に前記記録媒体積載位置を変更する第２のモードと、前記混在モードが設定されてもグループ内で記録媒体積載位置を変更する第３のモードと、を有するように前記画像形成システムを制御することを特徴とする請求項２１に記載のプログラム。
【請求項２５】
前記混在モードが設定されたら、前記記録媒体積載位置を変更する設定がされていても、前記グループ内において、後処理されない記録媒体と後処理される記録媒体とを前記積載トレイ上の同じ記録媒体積載位置に積載するように制御するように前記画像形成システムを制御することを特徴とする請求項２１から２３のいずれか１項に記載のプログラム。
【請求項２６】
前記混在モードが設定されているか否かを判断する第１判断部とグループの切り替わりであるかどうかを判断する第２判断部とを有し、前記第１判断部及び前記第２判断部の判断結果に基づき、前記記録媒体積載位置を制御するように前記画像形成システムを制御することを特徴とする請求項２１から２５のいずれか１項に記載のプログラム。
【請求項２７】
前記第１判断部が混在モードが設定されていると判断した場合、前記第２判断部がグループの切り替わりでないと判断した場合には前記記録媒体積載位置を変更せず、前記第２判断部がグループの切り替わりであると判断した場合には前記記録媒体積載位置を変更するように前記画像形成システムを制御することを特徴とする請求項２６に記載のプログラム。
【請求項２８】
ジョブの切り替わりであるかどうかを判断する第３判断部を有し、前記第１判断部、前記第２判断部及び前記第３判断部の判断結果に基づき、前記記録媒体積載位置を制御するように前記画像形成システムを制御することを特徴とする請求項２６または２７に記載のプログラム。
【請求項２９】
前記後処理は、前記画像形成装置から排出された記録媒体に加工を施す処理であるように前記画像形成システムを制御することを特徴とする請求項２１から２８のいずれか１項に記載のプログラム。
【請求項３０】
前記グループは、前記原稿に対して生成する印刷物の部数であるように前記画像形成システムを制御することを特徴とする請求項２１から２９のいずれか１項に記載のプログラム。
【発明の詳細な説明】
【技術分野】
【０００１】
本発明は画像形成システム、画像形成装置およびプログラムに係わり、詳しくは、記録媒体に画像を形成する画像形成装置と、排出された記録媒体を積載する積載トレイを有し記録媒体に後処理を行う後処理装置とを備えた画像形成システム、該画像形成装置、および、前記画像形成システムを制御するプログラムに関する。
【背景技術】
【０００２】
従来より、画像形成システムとして記録媒体の整合位置を交互に移動させるものがあり、例えば、排出される記録媒体を積載して、さらに記録媒体を排出する際に整合位置を交互に所定量移動して整合位置を変更する技術が開示されている（特許文献１参照）。また、排出した記録媒体を精度よく揃える技術が開示されている（特許文献２参照）。
【特許文献１】特開平１０−１８１９８１号公報
【特許文献２】特開２００２−１７９３２６号公報
【発明の開示】
【発明が解決しようとする課題】
【０００３】
しかしながら、上記背景技術では、原稿に対して１つまたは複数グループの画像形成を行い、１つのグループにおいて、後処理される記録媒体を混在させる技術を適用しようとした場合に、後処理されない記録媒体と後処理される記録媒体の整合位置が異なってしまうため、排出された記録媒体をまとめて取り出せないという問題が生じる。
【０００４】
本発明は上記の課題に鑑みなされたもので、本発明の目的は、処理されない記録媒体と後処理される記録媒体が混在する混在モードが設定された場合に使い勝手のよい画像形成システム、画像形成装置、および、前記画像形成システムを制御するプログラムを提供することにある。
【課題を解決するための手段】
【０００５】
上記本発明の目的は下記の手段のいずれかにより達成される。
（１）記録媒体に画像を形成することにより、原稿に対して１つまたは複数グループの印刷物を生成する画像形成装置と、前記画像形成装置から排出された記録媒体を積載する積載トレイを備え、前記画像形成装置から排出された記録媒体に後処理を行う後処理装置と、を有する画像形成システムであって、後処理されない記録媒体と後処理される記録媒体とがグループ内で混在する混在モードが設定されたら、前記グループ内において、後処理されない記録媒体と後処理される記録媒体とを前記積載トレイ上の同じ記録媒体積載位置に積載するように制御する制御手段を備えたことを特徴とする画像形成システム。
（２）前記原稿に対して複数グループの印刷物を生成する場合、グループ毎に前記記録媒体積載位置を変更することを特徴とする（１）に記載の画像形成システム。
（３）前記混在モードが設定された場合で、かつ前記原稿に対して複数グループの印刷物を生成する場合、複数グループの印刷物全ての記録媒体積載位置を同一とすることを特徴とする（１）に記載の画像形成システム。
（４）前記制御手段は、前記混在モードが設定されたら、複数グループ全ての記録媒体の前記記録媒体積載位置を同一とする第１のモードと、前記混在モードが設定されたら、前記グループ内において、後処理されない記録媒体と後処理される記録媒体とを前記積載トレイ上の同じ記録媒体積載位置に積載し、グループ毎に前記記録媒体積載位置を変更する第２のモードと、前記混在モードが設定されてもグループ内で記録媒体積載位置を変更する第３のモードと、を有することを特徴とする（１）に記載の画像形成システム。
（５）前記混在モードが設定されたら、前記記録媒体積載位置を変更する設定がされていても、前記グループ内において、後処理されない記録媒体と後処理される記録媒体とを前記積載トレイ上の同じ記録媒体積載位置に積載するように制御することを特徴とする（１）から（３）のいずれか１項に記載の画像形成システム。
（６）前記制御手段は、前記混在モードが設定されているか否かを判断する第１判断部とグループの切り替わりであるかどうかを判断する第２判断部とを有し、前記第１判断部及び前記第２判断部の判断結果に基づき、前記記録媒体積載位置を制御することを特徴とする（１）から（５）のいずれか１項に記載の画像形成システム。
（７）前記第１判断部が混在モードが設定されていると判断した場合、前記制御手段は、前記第２判断部がグループの切り替わりでないと判断した場合には前記記録媒体積載位置を変更せず、前記第２判断部がグループの切り替わりであると判断した場合には前記記録媒体積載位置を変更することを特徴とする（６）に記載の画像形成システム。
（８）前記制御手段はジョブの切り替わりであるかどうかを判断する第３判断部を有し、前記第１判断部、前記第２判断部及び前記第３判断部の判断結果に基づき、前記記録媒体積載位置を制御することを特徴とする（６）または（７）に記載の画像形成システム。
（９）前記後処理は、前記画像形成装置から排出された記録媒体に加工を施す処理であることを特徴とする（１）から（８）のいずれか１項に記載の画像形成システム。
（１０）前記グループは、前記原稿に対して生成する印刷物の部数であることを特徴とする（１）から（９）のいずれか１項に記載の画像形成システム。
（１１）記録媒体に画像を形成することにより、原稿に対して１つまたは複数グループの印刷物を生成する画像形成装置であって、前記画像形成装置から排出された記録媒体に後処理を行う後処理装置と接続可能であり、後処理されない記録媒体と後処理される記録媒体とがグループ内で混在する混在モードが設定されたら、前記グループ内において、後処理されない記録媒体と後処理される記録媒体とを前記後処理装置の積載トレイ上の同じ記録媒体積載位置に積載するように後処理装置を制御する制御手段を備えたことを特徴とする画像形成装置。
（１２）前記原稿に対して複数グループの印刷物を生成する場合、グループ毎に前記後処理装置の前記記録媒体積載位置を変更することを特徴とする（１１）に記載の画像形成装置。
（１３）前記混在モードが設定された場合で、かつ前記原稿に対して複数グループの印刷物を生成する場合、複数グループの印刷物全ての前記後処理装置の記録媒体積載位置を同一とすることを特徴とする（１１）に記載の画像形成装置。
（１４）前記制御手段は、前記混在モードが設定されたら、複数グループ全ての記録媒体の前記記録媒体積載位置を同一とする第１のモードと、前記混在モードが設定されたら、前記グループ内において、後処理されない記録媒体と後処理される記録媒体とを前記後処理装置の前記積載トレイ上の同じ記録媒体積載位置に積載し、グループ毎に前記記録媒体積載位置を変更する第２のモードと、前記混在モードが設定されてもグループ内で記録媒体積載位置を変更する第３のモードと、を有することを特徴とする（１１）に記載の画像形成装置。
（１５）前記混在モードが設定されたら、前記後処理装置の前記記録媒体積載位置を変更する設定がされていても、前記グループ内において、後処理されない記録媒体と後処理される記録媒体とを前記積載トレイ上の同じ記録媒体積載位置に積載するように制御することを特徴とする（１１）から（１３）のいずれか１項に記載の画像形成装置。
（１６）前記制御手段は、前記混在モードが設定されているか否かを判断する第１判断部とグループの切り替わりであるかどうかを判断する第２判断部とを有し、前記第１判断部及び前記第２判断部の判断結果に基づき、前記後処理装置の前記記録媒体積載位置を制御することを特徴とする（１１）から（１５）のいずれか１項に記載の画像形成装置。
（１７）前記第１判断部が混在モードが設定されていると判断した場合、前記制御手段は、前記第２判断部がグループの切り替わりでないと判断した場合には前記後処理装置の前記記録媒体積載位置を変更せず、前記第２判断部がグループの切り替わりであると判断した場合には前記記録媒体積載位置を変更することを特徴とする（１６）に記載の画像形成装置。
（１８）前記制御手段はジョブの切り替わりであるかどうかを判断する第３判断部を有し、前記第１判断部、前記第２判断部及び前記第３判断部の判断結果に基づき、前記記録媒体積載位置を制御することを特徴とする（１６）または（１７）に記載の画像形成装置。
（１９）前記後処理は、前記画像形成装置から排出された記録媒体に加工を施す処理であることを特徴とする（１１）から（１８）のいずれか１項に記載の画像形成装置。
（２０）前記グループは、前記原稿に対して生成する印刷物の部数であることを特徴とする（１１）から（１９）のいずれか１項に記載の画像形成装置。
（２１）記録媒体に画像を形成することにより、原稿に対して１つまたは複数グループの印刷物を生成する画像形成装置と、前記画像形成装置から排出された記録媒体を積載する積載トレイを備え、前記画像形成装置から排出された記録媒体に後処理を行う後処理装置と、を有する画像形成システムが実行するプログラムであって、後処理されない記録媒体と後処理される記録媒体とがグループ内で混在する混在モードが設定されたら、前記グループ内において、後処理されない記録媒体と後処理される記録媒体とを前記積載トレイ上の同じ記録媒体積載位置に積載するように前記画像形成システムを制御することを特徴とするプログラム。
（２２）前記原稿に対して複数グループの印刷物を生成する場合、グループ毎に前記記録媒体積載位置を変更するように前記画像形成システムを制御することを特徴とする（２１）に記載のプログラム。
（２３）前記混在モードが設定された場合で、かつ前記原稿に対して複数グループの印刷物を生成する場合、複数グループの印刷物全ての記録媒体積載位置を同一とするように前記画像形成システムを制御することを特徴とする（２１）に記載のプログラム。
（２４）前記混在モードが設定されたら、複数グループ全ての記録媒体の前記記録媒体積載位置を同一とする第１のモードと、前記混在モードが設定されたら、前記グループ内において、後処理されない記録媒体と後処理される記録媒体とを前記積載トレイ上の同じ記録媒体積載位置に積載し、グループ毎に前記記録媒体積載位置を変更する第２のモードと、前記混在モードが設定されてもグループ内で記録媒体積載位置を変更する第３のモードと、を有するように前記画像形成システムを制御することを特徴とする（２１）に記載のプログラム。
（２５）前記混在モードが設定されたら、前記記録媒体積載位置を変更する設定がされていても、前記グループ内において、後処理されない記録媒体と後処理される記録媒体とを前記積載トレイ上の同じ記録媒体積載位置に積載するように制御するように前記画像形成システムを制御することを特徴とする（２１）から（２３）のいずれか１項に記載のプログラム。
（２６）前記混在モードが設定されているか否かを判断する第１判断部とグループの切り替わりであるかどうかを判断する第２判断部とを有し、前記第１判断部及び前記第２判断部の判断結果に基づき、前記記録媒体積載位置を制御するように前記画像形成システムを制御することを特徴とする（２１）から（２５）のいずれか１項に記載のプログラム。
（２７）前記第１判断部が混在モードが設定されていると判断した場合、前記第２判断部がグループの切り替わりでないと判断した場合には前記記録媒体積載位置を変更せず、前記第２判断部がグループの切り替わりであると判断した場合には前記記録媒体積載位置を変更するように前記画像形成システムを制御することを特徴とする（２６）に記載のプログラム。
（２８）ジョブの切り替わりであるかどうかを判断する第３判断部を有し、前記第１判断部、前記第２判断部及び前記第３判断部の判断結果に基づき、前記記録媒体積載位置を制御するように前記画像形成システムを制御することを特徴とする（２６）または（２７）に記載のプログラム。
（２９）前記後処理は、前記画像形成装置から排出された記録媒体に加工を施す処理であるように前記画像形成システムを制御することを特徴とする（２１）から（２８）のいずれか１項に記載のプログラム。
（３０）前記グループは、前記原稿に対して生成する印刷物の部数であるように前記画像形成システムを制御することを特徴とする（２１）から（２９）のいずれか１項に記載のプログラム。
【発明の効果】
【０００６】
以上のように構成したので下記のような効果を奏する。即ち、
請求項１、１１および２１に記載の発明によれば、混在モードが設定されると、グループ内において、後処理されない記録媒体と後処理される記録媒体とを積載トレイ上の同じ記録媒体積載位置に積載するので、混在モードが設定されても、グループの記録媒体を、まとめて取り出しやすくなる。
【０００７】
請求項２、１２および２２に記載の発明によれば、グループ毎に記録媒体積載位置を変更でき、混在モードが設定されても、グループ毎の区切りを容易に把握することができる。
【０００８】
請求項３、１３および２３に記載の発明によれば、複数グループの全ての印刷物の記録媒体積載位置を同一にでき、複数グループを１つのまとまりとして取り出しやすく、取り出し後の箱詰め等を簡便に行うことができる。
【０００９】
請求項４、１４および２４に記載の発明によれば、混在モードが設定されても、用途により、第１のモード、第２のモードおよび第３のモードの選択ができ、利便性が向上する。
【００１０】
請求項５、１５および２５に記載の発明によれば、混在モードが設定されたら、記録媒体積載位置を変更する設定がされていても、グループ内において、後処理されない記録媒体と後処理される記録媒体とを積載トレイ上の同じ記録媒体積載位置に積載でき、ユーザーが意図せずに積載位置を変更する設定がされていた場合等でも、記録媒体の取り出しを簡便化できる。
【００１１】
請求項６、７、１６、１７、２６および２７に記載の発明によれば、第１判断部及び第２判断部の簡易な判断で、確実に記録媒体積載位置を制御できる。
【００１２】
請求項８、１８、および２８に記載の発明によれば、第１判断部、第２判断部、第３判断部の簡易な判断で、確実に記録媒体積載位置を制御できる。
【００１３】
請求項９、１９および２９に記載の発明のように、画像形成装置から排出された記録媒体に加工を施す例えばステイプル処理、パンチ処理等がなされる記録媒体を取り扱う場合に、さらに効果を発揮する。
【００１４】
請求項１０、２０および３０に記載の発明によれば、前記グループが、原稿に対して生成する印刷物の部数であるので、この部数内において上記の効果を奏する。
【発明を実施するための最良の形態】
【００１５】
以下、本発明に係わる［実施の形態１］および［実施の形態２］の画像形成システム、画像形成装置、およびプログラムついて、図面を参照して説明する。
【００１６】
［実施の形態１］
画像形成システムおよび画像形成装置に係わる機構的構成、電気的構成および動作、さらに画像形成システムを制御するプログラムについて説明する。
【００１７】
（概略説明）
図１は実施の形態に係わる画像形成システムの概略構成を示す断面図である。図１に示すように、画像形成システムは、画像形成装置１００および後処理装置７００とで構成されている。画像形成装置１００には、画像形成装置側の制御手段８００ａ、操作部２００Ａおよび外部機器の操作部２００Ｂ、原稿給送装置６００、原稿読取部３００、給紙部４００および画像形成部５００が備えられている。一方、後処理装置７００には、後処理装置側の制御手段８００ｂ、記録媒体搬送部７０９、ステイプラ７０４、パンチユニット７１１、整合シフト部７０５、排出部７２０、および記録媒体を積載する積載トレイ７０８が備えられている。
【００１８】
ユーザーが原稿をセットして、操作部２００Ｂ（または２００Ａ）からジョブ内容を入力して、画像形成システムの開始指示を出すと、原稿給送装置６００に載置された原稿Ｄは給送され、原稿読取部３００で画像データとして読み取られる。画像データは画像形成部５００内の露光手段３５０に送られ、画像データに基づいた光が出力され、出力された光は感光体ドラム５０４面上に集光結像する。感光体ドラム５０４は帯電されており光が照射されることによって静電潜像が形成され、次に現像器５０６によって静電潜像を現像してトナー像が形成される。給紙部４００から給送された記録媒体Ｓは、画像形成部５００へ送られ、画像形成部５００では、感光体５０４のトナー像が、送られてきた記録媒体Ｓに転写される。トナー像が転写された記録媒体Ｓは、分離帯電極によって感光体ドラム５０４から分離され、分離された記録媒体は搬送装置５０９により定着装置５１０に搬送されて定着される。定着された記録媒体Ｓは、記録媒体反転部５１２で記録媒体の表裏が反転されて、排出ローラ５１１によって、画像形成装置１００から後処理装置７００に送り込まれる。
【００１９】
後処理装置７００に搬送された記録媒体Ｓの内、後処理されない記録媒体Ｓは、搬送ローラ７０１、７０２によって後処理装置７００の記録媒体入口と切替ゲート７１０間の搬送路ａ、および切替ゲート７１０の上側と処理トレイ７０６間の搬送路ｂを通り処理トレイ７０６に搬送される。一方、後処理される記録媒体Ｓは、一旦、搬送ローラ７０１および７０２よって搬送路ａ、搬送路ｂに搬送された後に、搬送ローラ７０２によりスイッチバックして切替ゲート７１０の下側と後処理手段の一例であるステイプラ７０４間の搬送路ｃに搬送されステイプラ７０４に送られる。後処理される記録媒体Ｓが所定の枚数が集められてステイプルされる。後処理された記録媒体は、搬送ローラ７０３、７０２によって搬送路ｃおよび搬送路ｂを通り処理トレイ７０６に搬送される。処理トレイ７０６に搬送された記録媒体は、整合シフト部７０５で所定の整合位置で整合され、その後、記録媒体は排出部７２０により積載トレイ７０８の所定の記録媒体積載位置に積載される。
【００２０】
本実施形態の画像形成システムでは、後処理されない記録媒体と後処理される記録媒体とがグループ内で混在する混在モードが設定されたら、グループ内において、後処理されない記録媒体と後処理される記録媒体とを積載トレイ７０８上の同じ記録媒体積載位置に積載するようになっている。以上が実施の形態に係わる画像形成システムの概略構成の説明である。
【００２１】
（実施の形態１の機構的構成）
次に、実施の形態１に係わる画像形成システムの機構的構成について説明する。機構的構成の内、操作部および後処理装置の整合シフト部７０５、排出部７２０、積載トレイ７０８について詳しく説明する。
【００２２】
図１に示す操作部２００Ａは、原稿読取部３００の上部に設けられ、操作者によって操作された内容に基づき、ジョブの内容を設定することができる。外付けの外部機器（ＰＣ）を設けることが可能であり、外部機器（ＰＣ）の操作部２００Ｂから送信されてきたジョブ内容に基づいてジョブ内容を設定することもできる。操作部２００Ａと２００Ｂは機構的に同じであるので、以下、操作部２００Ｂについて説明することにする。
【００２３】
図２は実施の形態１に係わる操作部２００Ｂの基本設定画面を示す図であり、図３は実施の形態１に係わる操作部２００Ｂにおける頁毎設定画面を示す図である。
【００２４】
図２、図３において、操作部２００Ｂは、キーボード２０１、マウス２０２、液晶部２０３から構成されている。図２の基本設定画面２０４において、オフセット、後処理内容、およびコピー数（部数）等が設定できる。オフセットでは、記録媒体の整合シフト位置の切替有無が設定できる。また、図３の頁毎設定画面２０５において、頁毎に後処理を行うか否かの設定ができるようになっている。なお、本実施形態では、グループの例として部の例を説明する。
【００２５】
ここで、操作者は、混在モードを設定する場合、図２の基本画面において、後処理を行う指定を入力した場合（図２においては、ステイプリングを指定）には、図３の頁毎設定画面において、後処理しないページについて、後処理の指定の解除を入力する。図３の例では、１−２ページ目のステイプリングの解除を入力する。
【００２６】
なお、図２の基本画面において、後処理を行う指定を入力せずに（図２のステイプリング及びパンチのチェック欄をチェックしない）、図３の頁毎設定画面において、後処理するページの設定を入力しても良い。この場合、図３の例では、３−４ページ目のステイプリングを１Ｓｔａｐｌｅと入力する。
【００２７】
ここで、後処理を行うページ群と後処理を行わないページ群を、それぞれサブグループとする。本実施形態においては、１−２ページ目と３−１０ページ目との二つのサブグループとなる。
【００２８】
次に、整合シフト部７０５、および排出部７２０について説明する。
【００２９】
図４は整合シフト部７０５および排出部７２０の構成を示す断面図であり、図４（ａ）は後処理装置を左側面より見た整合シフト部７０５と排出部７２０の一部の構成を示す断面図であり、図４（ｂ）は図４（ａ）に示す断面ＡＡにおける排出部７２０の構成を示す断面図である。また、図５は整合シフト部７０５における整合シフト板の動作説明図である。
【００３０】
図４（ａ）において、整合シフト部７０５は、一方の整合シフト板７０５ａを移動させる図の右側に示す第１ユニット７０５Ｕａと、他方の整合シフト板７０５ｂを移動させる図の左側に示す第２ユニット７０５Ｕｂとからなる。これらの両ユニット７０５Ｕａ、７０５Ｕｂは、ほぼ同一構造をなすから、以下、第１ユニット７０５Ｕａを代表して説明する。
【００３１】
整合シフト板７０５ａは、ガイドバー７０７ａに摺動して直線往復移動可能なキャリッジ７０８ａに固定されている。該キャリッジ７０８ａは、駆動プーリ７１３ａと従動プーリ７１４ａとの間に張設されたタイミングベルト７１２ａの一部に、固定されている。駆動プーリ７１３ａは、駆動源の駆動モータＭ３から歯車ｇ１、歯車ｇ２を介して駆動回転される。ＰＳ１ａはホームポジションセンサである。第２ユニット７０５Ｕｂも同様にして、他の駆動源の駆動モータＭ２により前記歯車列及びタイミングベルト７１２ｂを介して直線往復駆動される。このようにして、整合シフト板７０５ａ、７０５ｂはそれぞれ専用の駆動モータを備え、独立して移動可能である。外部からの信号により、駆動モータＭ１、Ｍ２が作動して、整合シフト板７０５ａ、７０５ｂを駆動させ、記録媒体を整合して所定の位置にくるようにしている。
【００３２】
次に、図４（ｂ）において、排出部７２０は、処理トレイ７０６にある記録媒体Ｓを積載トレイ７０８（図１）に排出する。駆動モータＭ３は、歯車ｇ３、歯車ｇ４から成る歯車列を介して円板７２１を駆動回転させる。円板７２１の偏心位置に一端が支持されたクランク７２２の他端は、支点軸７２３を中心にして揺動可能な排出アーム７２４ａの一部に回転自在に枢支されている。また、排出アーム７２４ａの一端に押出アーム７２４ｂが可動可能に枢支されている。排出アーム７２４ａと押出アーム７２４ｂにはバネ７２５がかけられ、押出アーム７２４ｂが時計方向にバネ力が作用するようになっている。駆動モータＭ３により駆動回転する円板７２１は、クランク７２２を偏心運動させ、更に排出アーム７２４ａと押出アーム７２４ｂを揺動させる。この押出アーム７２４ｂの揺動運動によって、記録媒体Ｓの後端部を押圧し、積載トレイ７０８（図１）に向けて排出するようになっている。なお、記録媒体が処理トレイ７０６に移動するときは、押出アーム７２４ｂは図で反時計方向に傾動し待避できるようになっている。
【００３３】
次に、整合シフト部７０５における整合シフト板７０５ａ、７０５ｂの動作について説明する。図５（ａ）は記録媒体をシフトさせない場合、図５（ｂ）は画像形成装置の奥側に記録媒体をシフトさせる場合、図５（ｃ）は画像形成装置の手前に記録媒体をシフトさせる場合のそれぞれの説明図である。
【００３４】
最初に、図５（ａ）において、整合シフト板７０５ａ、７０５ｂは、記録媒体Ｓの搬送方向の中心線Ｒに対して等距離の位置に移動して、画像形成装置の中央位置で記録媒体を整合させる。また、図５（ｂ）において、オフセットで画像形成装置の奥側に設定されると、整合シフト板７０５ａ、７０５ｂが移動して、記録媒体Ｓの搬送方向の中心線Ｒに対して不等距離の位置で停止し、記録媒体を画像形成装置の奥側にシフトして整合させる。さらに、図５（ｃ）において、オフセットで画像形成装置の手前側に設定されると、整合シフト板７０５ａ、７０５ｂが移動して、記録媒体Ｓの搬送方向の中心線Ｒに対して不等距離の位置で停止し、記録媒体を画像形成装置の奥側にシフトして整合させる。
【００３５】
次に、記録媒体の積載トレイ７０８上の積載について説明する。
【００３６】
図６は実施の形態１における積載トレイ７０８上の記録媒体積載状態を示す図であり、図６（ａ）は前述の整合シフト部７０５の構成の一部を示し、図６（ｂ）は、混在モードで積載された一例の状態を示す。なお、本実施形態においては、混在モードの場合には、図６（ｂ）のように積載するように、デフォルトで設定されている。そして、操作者の選択設定により、図６（ｃ）のように、混在モードであっても、サブグループ毎にオフセットさせ積載させることもできる。
【００３７】
図６（ｂ）において、積載トレイ７０８は、整合シフト部７０５でシフトされた記録媒体が排出部７２０（図４参照）より排出され、後処理されない記録媒体Ｓ１、Ｓ２、および、後処理される記録媒体Ｓ３からＳ１０とがグループＧ１を構成して積載トレイ７０８の同じ記録媒体積載位置Ｐ１に積載されている。同様にして、グループＧ２は記録媒体積載位置Ｐ２に積載されている。なお、記録媒体Ｓ１がジョブの先頭の記録媒体であり、記録媒体Ｓ１１が２グループ目のグループＧ２の先頭の記録媒体である。なお、図４においてはＧ１とＧ２とは同じジョブであり、画像データに基づきＧ１とＧ２との２部の画像形成を行ったものとする
操作者により、サブグループ毎にオフセットさせる指定がなされた場合は、図６（ｃ）のように、後処理されない記録媒体Ｓ１、Ｓ２が１グループ内の小グループ（サブグループ）Ｇ１ａを構成して記録媒体積載位置Ｐ１に積載され、また、後処理された記録媒体Ｓ３からＳ１０が１グループ内（部内）の小グループ（サブグループ）Ｇ１ｂを構成して記録媒体積載位置Ｐ２に積載される。この小グループＧ１ａ、Ｇ１ｂが１グループＧ１を構成している。２グループＧ２についても同様である。
【００３８】
（実施の形態１の電気的構成）
次に、画像形成システムの電気的構成について、本発明に係わる電気的構成のブロック、および画像形成システムにおける記録媒体積載位置の判断に関するプログラムのフローについて説明する。
【００３９】
図７は実施の形態１に係わる画像形成システムの電気的構成ブロックを示す。画像形成システムの電気的構成ブロックは、画像形成装置側と後処理装置側の電気構成ブロックより構成されている。画像形成装置側の電気的構成において、２００ＡＥは操作部（１）２００Ａの電気的構成ブロック、２００ＢＥは操作部（２）２００Ｂの電気的構成ブロック、６００Ｅは原稿給装装置６００の電気的構成ブロック、３００Ｅは原稿読取部３００の電気的構成ブロック、５００Ｅは画像形成部５００の電気的構成ブロック、および４００Ｅは給紙部４００の電気的構成ブロックである。また、メモリＭ１は記録媒体積載位置の初期位置、オフセット情報等を記憶するメモリであり、メモリＭ２は頁情報、ペーパー（記録媒体）情報等を記憶するメモリである。画像形成装置側の制御手段８００ａは、各電気構成ブロックを制御する。また、制御手段８００ａは第１判断部から第４判断部を有している。
【００４０】
第１判断部８０１は、混在モードか否かを図２の２０４で入力された後処理指定と図３に示す頁毎設定画面２０５で入力されたページ毎セッティングの設定有無の情報とに基づいて判断する（後述する図８、Ｆ３参照）。
【００４１】
例えば、１０頁からなる原稿の画像形成のための後処理を設定する場合を例にとり説明する。図２の２０４で「ステイプリング」のチェックボックスにチェックが入力され、図３の頁毎セッティングの画面２０５で、１頁目のステイプリングをＯＦＦとし、４頁目から１０頁目のステイプリングをＯＦＦと設定された場合には、図２の２０４において、グループ全体に対しては、ステイプリングする設定となっており、その一部である１頁目および４頁目から１０頁目のステイプリングはＯＦＦとする設定となっていることになる。つまり、２から３頁目のみステイプリングし、１頁目及び４頁目から１０頁目はステイプリングされない設定となっているので、１頁目、２から３頁目、４から１０頁目がそれぞれ小グループとなる混在モードであると判断される。
【００４２】
同様に、図２の２０４で、「ステイプリング」のチェックボックスにチェックが入力されず、図３の頁毎セッティングの画面２０５で、２から３頁目のステイプリングをＯＮと設定された場合には、図２の２０４において、グループ全体に対しては、ステイプリングをしない設定となっており、その一部である２から３頁目のみステイプリングする設定となっていることになる。つまり、上記例と同様に、２から３頁目のみステイプリングし、１頁目及び４頁目から１０頁目はステイプリングされない設定となっているので、この場合にも、混在モードであると判断される。
【００４３】
一方、図２の２０４で、「ステイプリング」のチェックボックスにチェックが入力されず、図３の頁毎セッティングの画面２０５で、２から３頁目のステイプリングをＯＦＦとした場合には、２から３頁目に対する後処理内容とその他の頁に対する後処理内容の設定とが同じであるため、つまり、１頁目から２頁目の間と、３頁目から４頁目との間とで、それぞれ設定された後処理内容に変化はないので、グループ内に小グループは存在せず、混在モードでないと判断される。
【００４４】
また、第２判断部８０２は混在モードにおいてジョブの２グループ目以降のグループの先頭の記録媒体であるかどうかの判断する（図８、Ｆ４参照）。また、第３判断部はジョブの先頭の記録媒体であるかどうかの判断する（図８、Ｆ１参照）。さらに、第４判断部８０４は、混在モードでない場合に２グループ目（２部目）以降のグループの先頭の記録媒体、または、区切りの先頭の記録媒体（図８（ｃ）のＳ３、Ｓ１３参照）であるかどうかを判断する（図８、Ｆ５参照）。
【００４５】
ここで、区切りは、グループ単位以外でユーザーにより、例えば章等をつけた場合のその切れ目である。
【００４６】
次に、後処理装置側の電気的構成において、７０９Ｅは記録媒体搬送部７０９の電気的構成ブロック、７０４Ｅはステイプラ７０４の電気的構成ブロック、７０５Ｅは整合シフト部７０５の電気的構成ブロック、７２０Ｅは排出部７２０の電気的構成ブロック、および７１１Ｅはパンチユニット７１１の電気的構成ブロックである。また、メモリＭ３は給紙情報（記録媒体積載位置情報を含む）のメモリである。後処理装置側の制御手段８００ｂは、後処理装置側の各電気構成ブロックを制御する。
【００４７】
画像形成システムにおける記録媒体の積載トレイ７０８への記録媒体積載位置の決定制御（図８）は、前述の画像形成装置側の制御手段８００ａが実行し、その実行結果を後処理装置側の制御手段８００ｂに送信し、制御手段８００ｂがその情報に基づき整合シフト部７０５Ｅ等を制御することにより、記録媒体の排出を制御するようになっている。
【００４８】
次に、実施の形態１の画像形成システムにおける記録媒体積載位置の判断に関するプログラムのフローについて説明する。図８は実施の形態１の画像形成システムにおける積載トレイ上の記録媒体積載位置を判断するフローである。図８において、第３判断部８０３により、最初にジョブの先頭の記録媒体であるかどうか判断され、ジョブの先頭の記録媒体である場合は、次のＦ２に進み、一方、ジョブの先頭の記録媒体でない場合はＦ３に進む（Ｆ１）。ジョブの先頭の記録媒体である場合、ここで整合シフト部７０５の整合位置の初期値をあらかじめ決めてある整合位置に設定する。なお、設定された初期値は図７に示すメモリＭ１に格納される（Ｆ２）。次に、Ｆ３では、第１判断部８０１により混在モードが設定されているかどうか判断され、混在モードが設定されている場合（ＹＥＳ）はＦ４に進み、混在モードが設定されていない場合（ＮＯ）はＦ５に進む。混在モードが設定されている場合、Ｆ４において、第２判断部８０２により、２グループ目以降のグループの先頭の記録媒体かどうか判断され、その先頭の記録媒体である場合（ＹＥＳ）はＦ６に進み、一方、その先頭の記録媒体でない場合（ＮＯ）はＦ７に進む。
【００４９】
次に、混在モードが設定されていない場合、Ｆ５において、第４判断部８０４により、２グループ目以降のグループの先頭の記録媒体又は区切りの先頭の記録媒体かどうか判断され、ＹＥＳの場合はＦ６に進み、一方、ＮＯの場合はＦ７に進む。Ｆ６においては、設定されている整合位置の初期値を変更する。即ち、図７に示すメモリＭ１に記憶されている初期値を変更する（Ｆ６）。また、Ｆ７においては、以上のＦ３、Ｆ４およびＦ５で判断した結果により、図７に示すメモリＭ１から整合シフト部の整合位置を取得し決定する（Ｆ７）。その後、決定した整合位置に関する制御手段８００ａから制御手段８００ｂに送信される。
【００５０】
次に、実施の形態１の画像形成システムの動作について、前述の画像形成システムの概略構成、機構的構成および電気的構成を参照して例示して説明する。
【００５１】
一例として、原稿に対して印刷物を２部（Ｇ１とＧ２）生成し、１、２頁は後処理せず、また、３から１０頁は後処理（ステイプル）する例について図１から図８を参照して説明する。
【００５２】
図１に示す原稿Ｄを原稿給装装置６００にセットし、操作部２００Ｂで、図２に示す基本設定画面２０４でステイプリング有りを指定、コピー部数を２部作成に指定、オフセット有りを指定する。さらに、図３に示す頁毎設定画面２０５で頁毎の後処理の有無とその位置等を指定をする。
【００５３】
ジョブのセット内容により決定された記録媒体積載位置情報は、記録媒体毎の給紙タイミングで他の給紙情報と共に、後処理装置７００の制御手段８００ｂへ、その情報を通知する。後処理装置７００では通知された給紙情報（記録媒体積載位置情報を含む）をメモリＭ３に一時格納する。
【００５４】
ここで、図示しないスタートボタンを押すと、図１に示す原稿読取装置６００で原稿Ｄが読みとられ、画像形成がされる。１グループ目の１頁、２頁が後処理装置７００に送り込まれ、処理トレイ７０６に搬送される。１グループ目の３頁から１０頁が後処理装置７００に送り込まれ、ステイプラ７０４でステイプルされ、処理トレイ７０６に搬送される。その後、制御手段８００ｂは、制御手段８００ａから送信された整合位置に関する情報に基づき、処理トレイ７０６上の１グループ目の１から１０頁目が記録媒体積載位置Ｐ１となるように整合シフト部７０５Ｅを制御し、処理トレイ７０６上で記録媒体束位置をＰ１対応位置に整合する。そして、図４に示す排出部７２０により、積載トレイ７０８の記録媒体積載位置Ｐ１に排出される。
【００５５】
同様にして、２グループ目の１、２頁が後処理装置７００に送り込まれ、処理トレイ７０６に搬送される。２グループ目の３頁から１０頁が後処理装置７００に送り込まれ、ステイプラ７０４でステイプルされ、処理トレイ７０６に搬送される。その後、制御手段８００ｂは、制御手段８００ａから送信された整合位置に関する情報に基づき、整合シフト部７０５Ｅを制御し、処理トレイ７０６上の２グループ目の１から１０頁目が記録媒体積載位置Ｐ２となるように処理トレイ７０６上で記録媒体束位置をＰ２対応位置に整合する。そして、排出部７２０により、積載トレイ７０８の記録媒体積載位置Ｐ２に排出される（図６（ｂ）参照）。
【００５６】
以上により、実施の形態１の画像形成システムによれば、記録媒体のグループ内において、後処理されない記録媒体と後処理される記録媒体とを積載トレイ上の同じ記録媒体積載位置に積載できる。また、記録媒体のグループ毎に記録媒体積載位置を変更できグループ毎の区切りがわかりやすくなる。なお、第１判断部、第２判断部、第３判断部による判断により簡易で確実に記録媒体積載位置の判断の制御ができるようになる。また、この画像形成装置によれば、前述の後処理装置と組み合わせることにより、前述の効果を奏することが可能となる。さらに、このプログラムによれば、画像形成システムを制御できるプログラムとなり、特に、混在モードが設定されたら、グループ内において、後処理されない記録媒体と後処理される記録媒体とを積載トレイ上の同じ記録媒体積載位置に積載するように画像形成システムを制御できるようになる。
【００５７】
［実施の形態２］
次の、実施の形態２に係わる画像形成システム、画像形成装置の機構的構成、電気的構成および動作、さらに画像形成装置を制御するプログラムについて説明する。なお、実施の形態１と構成的、機能的に同じ部分は、同一符号を付け一部説明を省略し、実施の形態１と異なる部分を中心に説明する。また、実施の形態２に係わる画像形成システムの概略構成は、前述の実施の形態１と構成的に同じにつき説明を省略する。
【００５８】
（実施の形態２の機構的構成）
画像形成システムの機構的構成の内、本発明に係わる画像形成装置の操作部、および後処理装置の整合シフト部７０５、排出部７２０および積載トレイ７０８について詳しく説明する。
【００５９】
実施の形態１と同様に操作部として、以下操作部２００Ｂについて説明する。図９は実施の形態２に係わる操作部の基本設定画面２０６を示す図であり、図１０は実施の形態２に係わる操作部の頁毎設定画面２０７を示す図であり、さらに、図１１は実施の形態２に係わる操作部の頁毎詳細設定画面２０８を示す図である。
【００６０】
図９に示すように、基本設定画面２０６ではジョブ全体に対する設定を行う。設定内容としては、原稿サイズ、プリントサイズ、プリントタイプ（片面、両面）、後処理（ステイプル、パンチ等）、オフセット有無、頁毎のオフセット有無、及びコピー数等がある。「オフセット」にあるチェックボックスでジョブ全体のオフセットの有無の指定が可能である。また、「頁毎オフセット」にあるチェックボックスで、頁毎のオフセットの有無の設定が可能である。頁毎オフセットのチェックボックスをＯＮに設定すると、図９の基本設定画面２０６の下部に示すようにリストが表示され、このリストの中より、頁毎のオフセットの仕方について複数のモードからモードを選択できるようになる。詳しくは、「頁毎オフセット」の設定は、オフセットを禁止する第１のモード、グループ毎にオフセットする第２のモード、さらにサブセットグループ毎にオフセットする第３のモードから選択して設定できるようになっている。
【００６１】
なお、本実施形態においては、混在モードの場合には、「オフセット」のチェックまたは「ページ毎オフセット」のチェックがオンになっていても、オフセットを行わない、つまり混在モード時にはオフセットを禁止する制御を行うようにデフォルト設定されている。なお、この設定は、管理者またはユーザーにより設定を変更することができる。図示しない混在モード時のオフセット制御設定画面において、「混在モード時にオフセットする」を選択指示し、設定することにより、混在モードでも、後述する第１〜第３モードから選択されたモードに応じたオフセットの制御を許可する設定とすることができる。
【００６２】
また、基本設定画面２０６の画面上部の「頁毎セッティング」タグを選択すると、図１０に示す頁毎設定画面２０７が表示される。
【００６３】
図１０に示すように、頁毎設定画面２０７では、「頁毎セッテイング」にあるチェックボックスをＯＮにすると、サブセットステイプルの頁毎の後処理の有効／無効を設定する（ＯＮの場合は、その下側にある枠中のリストに表示された部分が有効になる）ことができる。
【００６４】
また、頁毎設定画面２０７の画面の下部にある３つのボタン（「Ａｄｄ」、「Ｅｄｉｔ」、「Ｄｅｌｅｔｅ」）で、上記リストの詳細設定を行うことができる。
【００６５】
「Ａｄｄ」はリストへの新規追加を行うボタン、「Ｅｄｉｔ」はリスト中の項目を選択し、設定内容を編集するボタン、さらに、「Ｄｅｌｅｔｅ」はリスト中の項目を選択し、選択した項目を削除するボタンである。
【００６６】
「Ａｄｄ」、「Ｅｄｉｔ」を選択した場合、設定入力用の別のフォームである図１１に示す頁毎詳細設定画面２０８が表示される。
【００６７】
図１１に示す頁毎詳細設定画面２０８において、詳細な指定頁、ステイプルの指定等の後処理が設定できるようになっている。なお、図１０の頁毎設定画面２０７の設定よりも、図１１の頁毎詳細設定画面２０８の設定が優先されるようになっている。
【００６８】
ここで、その設定例として、１グループ（１部）が６頁のジョブで、１、２頁はステイプルなし、３頁から６頁はステイプルのサブセットを指定する場合について説明する。最初に、図９の基本設定画面２０６でステイプルでＯＮを設定、図１１の頁毎詳細設定画面２０８で、１、２頁をステイプルＯＦＦを指定することにより設定できる。なお、別な設定方法として、最初に、図９の基本設定画面２０６で、ステイプルでＯＦＦを設定、図１１の頁毎詳細設定画面２０８で、３頁から６頁をステイプルＯＮを指定することによっても可能である。
【００６９】
次に、積載トレイ７０８上の積載について説明する。なお、整合シフト部７０５、排出部７２０は前述の実施の形態１と機構的に同じである。
【００７０】
図１２は、混在モード設定時にオフセットを禁止する場合、つまりデフォルト設定における積載トレイ上の積載例である。図１２（ａ）は前述の整合シフト部７０５の構成の一部を示し、整合シフト部７０５には整合シフト板７０５ａ、７０５ｂが設けられている。
【００７１】
図１２（ｂ）は、記録媒体の積載状態を示しており、詳しくは、混在モードが設定され、後処理されない記録媒体Ｓ１、Ｓ２、および、後処理される記録媒体Ｓ３からＳ６とが１グループＧ１を構成して、積載トレイ７０８の記録媒体積載位置Ｐ３に積載され、同様に、２グループＧ２も同じ記録媒体積載位置Ｐ３に積載されている積載状態を示している。なお、記録媒体Ｓ１がジョブの先頭の記録媒体であり、本実施の形態においても、第１の実施形態と同様で、グループの例として部の例を示している。
【００７２】
次に、図１３は、混在モード設定時にオフセットを許可する場合、つまり、図示しない混在モード時のオフセット制御設定画面により、「混在モード時にオフセットする」が設定され、且つ図９の「頁毎オフセット」がＯＮされ、複数のモードからモードが指定された場合の積載トレイ上の積載例である。図１３（ａ）は整合シフト部７０５の概略構成、図１３（ｂ）から（ｄ）は混在モードの第１から第３のモード指定例の積載状態を示し、図１３（ａ）については図１２（ａ）と同様のため、説明を省略する。
【００７３】
第１のモードでは、図１３（ｂ）に示すように、後処理されない記録媒体Ｓ１、Ｓ２、および、後処理される記録媒体Ｓ３からＳ６とが１グループＧ１を構成して積載トレイ７０８の記録媒体積載位置Ｐ３に積載され、同様にして、２グループＧ２も同じ記録媒体積載位置Ｐ３に積載される。なお、記録媒体Ｓ１がジョブの先頭の記録媒体である。
【００７４】
第２のモードでは、図１３（ｃ）に示すように、後処理されない記録媒体Ｓ１、Ｓ２、および、後処理される記録媒体Ｓ３からＳ６とが１グループＧ１を構成して積載トレイ７０８の記録媒体積載位置Ｐ１に積載され、２グループＧ２は記録媒体積載位置Ｐ２に積載される。なお、記録媒体Ｓ１がジョブの先頭の記録媒体であり、記録媒体Ｓ６がグループ内の最終の記録媒体である。
【００７５】
第３のモードでは、図１３（ｄ）に示すように、後処理されない記録媒体Ｓ１、Ｓ２が１グループ内のサブグループＧ１ａを構成して記録媒体積載位置Ｐ１に積載される。また、後処理される記録媒体Ｓ３からＳ６が１グループ内のサブグループＧ１ｂを構成して記録媒体積載位置Ｐ２に積載される。このサブグループＧ１ａ、Ｇ１ｂが１グループＧ１を構成している。２グループＧ２についても同様である。なお、記録媒体Ｓ１がジョブの先頭の記録媒体であり、記録媒体Ｓ２、Ｓ６等がサブセットグループの最終の記録媒体である。
【００７６】
（実施の形態２の電気的構成）
次に、画像形成システムの電気的構成について、本発明に係わる電気的構成のブロック、および記録媒体積載位置の判断に関するプログラムのフローについて説明する。
【００７７】
実施の形態２に係わる画像形成システムの電気的構成ブロックは、第１の実施形態と同様であるため説明を省略する。
【００７８】
実施の形態２の画像形成システムは、前述の実施の形態１と同様に、記録媒体の積載トレイ７０８への排出制御は、前述の画像形成装置側の制御手段８００ａが実行し、その実行結果を制御手段８００ｂに送信し、後処理装置側の制御手段８００ｂがその情報に基づき記録媒体の排出を制御するようになっている。
【００７９】
また、制御手段８００ａは、混在モードか否かを図９のセットアップ画面で入力された後処理指定と、図１０に示す頁毎設定画面２０７で入力されたページ毎セッテイングの設定有無の情報とに基づいて判断する。尚、判断の仕方としては実施の形態１と同様に判断できる。
【００８０】
次に、実施の形態２の画像形成システムにおける制御手段８００ａで実行される記録媒体積載位置の判断に関するプログラムのフローについて説明する。
【００８１】
フローは、混在モード設定時に常にオフセットを禁止する場合の第１フローと、混在モードでオフセット設定を指定した場合の第２フローの２種類あり、それぞれについて説明する。
【００８２】
制御手段８００ａでは、図示しない混在モード時のオフセット制御設定画面において、「混在モード時にオフセットする」が設定された場合には第２フローを、デフォルト設定の場合には第１フローを選択する。
【００８３】
なお、このフローで、決定された記録媒体積載位置情報は、記録媒体毎の給紙タイミングで他の給紙情報と共に、後処理装置の制御手段８００ｂへその情報を通知する。後処理装置では通知された給紙情報（記録媒体積載位置情報を含む）をメモリに一時格納し、排出のタイミングで参照して、記録媒体積載位置の制御を行うようになっている。
【００８４】
最初に、混在モード設定時に常にオフセットを禁止する場合、つまり、「頁毎オフセット」がＯＮに設定され、モードが設定されていない場合の第１フローについて説明する。図１４は実施の形態２に係わる積載トレイ７０８上の記録媒体積載位置を判断する第１フローである。図１４において、Ｆ１１では、最初に、第３判断部によりジョブの先頭の記録媒体であるかどうか判断され、ジョブの先頭の記録媒体である場合は、次のＦ１２に進む。一方、ジョブの先頭の記録媒体でない場合はＦ１４に進む。Ｆ１２では、オフセット設定情報を取得する。Ｆ１３では、記録媒体積載位置の初期値（実施の形態では記録媒体積載位置Ｐ１とする）を決定してメモリＭ３に格納する。Ｆ１４では、給紙ペーパー（記録媒体）情報を取得する。Ｆ１５では、メモリＭ３から記録媒体積載位置の情報を取得し、図示しない画像メモリの給紙ペーパー情報へセットする。
【００８５】
Ｆ１６では、オフセットの指定があるかどうか判断され、オフセットが指定されている場合はＦ１７に進み、オフセットが指定されてない場合はここで終了する。Ｆ１７では、第１判断部で混在モードの指定があるかどうか判断される。混在モードが指定されている場合はＦ２０に進み、混在モードが指定されてない場合はＦ１８に進む。Ｆ１８では、第２判断部であるグループ内の最終の記録媒体か判断され、最終の記録媒体でない場合ここで終了し、最終の記録媒体である場合は、Ｆ１９に進み、記録媒体積載位置情報を更新（記録媒体積載位置をＰ１からＰ３）してメモリへ格納し、終了する。一方、Ｆ２０では、給紙記録媒体情報の記録媒体積載位置を固定値に変更（記録媒体積載位置をＰ１からＰ３に変更）して終了する。
【００８６】
次に、混在モードで「頁毎オフセット」がＯＮされ、複数のモードが指定された場合のプログラム（第２のフロー）について説明する。図１５は実施の形態２に係わる積載トレイ７０８上の記録媒体積載位置を判断する第２フローである。図１５において、Ｆ２１からＦ２５は、前述の図１４に示すＦ１１からＦ１５と同じあり説明を省略する。Ｆ２６では、オフセットの指定があるかどうか判断され、オフセットが指定されている場合はＦ２７に進み、オフセットが指定されてない場合はここで終了する。Ｆ２７では、混在モードか否かが判断され、混在モードの場合はＦ２９に進み、混在モードでない場合はＦ２８に進む。Ｆ２８では、第２判断部であるグループ内の最終の記録媒体か判断され、最終の記録媒体でない場合はここで終了し、最終の記録媒体の場合は、Ｆ３２で記録媒体積載位置情報を更新してメモリへ格納し、終了する。一方、Ｆ２９では、混在モードのオフセット指定の内容が判断される。詳しくは、第１のモード、第２のモード、第３のモードの内、どのモードが選択されているか判断される。オフセット禁止の指定である第１のモードの場合は、Ｆ３１で給紙記録媒体情報の記録媒体積載位置を固定値（Ｐ３）に変更して終了する。また、Ｆ２９において、混在モードのサブグループのオフセット指定である第３のモードの場合は、Ｆ３０に進み、Ｆ３０では、サブセットグループの最終の記録媒体か判断され、最終の記録媒体の場合はＦ３２に進み、最終の記録媒体でない場合はここで終了する。さらに、Ｆ２９において、グループ毎にオフセットの指定である第２のモードの場合は、前述のＦ２８へ進む。
【００８７】
次に、実施の形態２の画像形成システムの動作について、前述の機構的構成、電気的構成を参照して、混在モード設定時に常にオフセットを禁止する場合と、混在モード設定時にオフセット設定を行う場合のそれぞれの動作についての例を説明する。
【００８８】
一例として、原稿に対して印刷物を生成し、記録媒体の１頁、２頁は後処理されない記録媒体、３頁から６頁は後処理（ステイプル）される記録媒体を２部作成する例について説明する。
【００８９】
（混在モード設定時に、常にオフセットを禁止する場合）
図１に示す原稿Ｄを原稿給装装置６００にセットする。操作部２００Ｂでジョブ内容をセットする。詳しくは、図９に示す基本設定画面２０６でオフセット有りを指定、ステイプリング有りを指定、コピー数を２部に指定する。次に、図１０に示す頁毎設定画面２０７で頁毎セッティグ有りを指定、「Ａｄｄ」を選択する。さらに図１１に示す頁毎詳細設定画面２０８で、１ステイプルを指定、頁番号で３から６頁を指定する。
【００９０】
ジョブのセット内容により決定された記録媒体積載位置情報は、記録媒体毎の給紙タイミングで他の給紙情報と共に、後処理装置７００の制御手段８００ｂへその情報を通知し、後処理装置７００では通知された給紙情報（記録媒体積載位置情報を含む）をメモリＭ３に一時格納される。
【００９１】
次に、図示しないスタートボタンを押すと、原稿読取装置６００で原稿Ｄが読みとられ、画像形成が形成される。１グループ目の１頁、２頁が後処理装置７００に送り込まれる。処理トレイ７０６に搬送される。また、１グループ目の３頁から６頁が後処理装置７００に送り込まれ、ステイプラ７０４でステイプルされ、処理トレイ７０６に搬送される。
【００９２】
制御手段８００ｂは、メモリＭ３に一時格納される給紙情報に基づき記録媒体積載位置を決め、整合シフト７０５Ｅを制御し、処理トレイ７０６上で記録媒体束位置をＰ３に対応する位置に整合し、排出部７２０により、積載トレイ７０８の記録媒体積載位置Ｐ３に排出する。
【００９３】
同様にして、２グループ目の１頁、２頁が後処理装置７００に送り込まれ、処理トレイ７０６に搬送される。次に、２グループ目の３頁から６頁が後処理装置７００に送り込まれ、ステイプラ７０４でステイプルされる。処理トレイ７０６に搬送され、積載トレイ７０８の同じ記録媒体積載位置Ｐ３に排出され、図１２（ｂ）に示すように積載される。
【００９４】
なお、混在モードの指定なしの場合は、１グループ目が記録媒体積載位置Ｐ１に積載され、また、２グループ目が、記録媒体積載位置Ｐ２に積載されるように、処理トレイ７０６上で整合する。
【００９５】
（混在モード設定時に、オフセット設定を行う場合）
オフセットの選択指定は、前述の「第１モード」、「第２モード」、および「第３モード」より１つを選択する。
【００９６】
最初に、「第１モード」の動作について説明する。
【００９７】
図１に示す原稿Ｄを原稿給装装置６００にセットする。操作部２００Ｂでジョブ内容をセットする。詳しくは、図９に示す基本設定画面２０６でステイプリング有りを指定、コピー数で２部作成を指定する。さらにオフセット有りを指定、頁毎オフセット有りを指定、第１モードを指定する。図１０に示す頁毎設定画面２０７で頁毎セッティグ有りを指定、「Ａｄｄ」を選択する。さらに、図１１に示す頁毎詳細設定画面２０８で、１ステイプル指定、頁番号で３頁から６頁を指定する。
【００９８】
ジョブのセット内容により決定された記録媒体積載位置情報は、記録媒体毎の給紙タイミングで他の給紙情報と共に、後処理装置７００の制御手段８００ｂへその情報を通知する。後処理装置７００では通知された給紙情報（記録媒体積載位置情報を含む）をメモリＭ３に一時格納する。
【００９９】
図示しないスタートボタンを押すと、原稿読取装置６００で原稿Ｄが読みとられ、画像形成が形成される。１グループ目の１、２頁が後処理装置７００に送り込まれる。処理トレイ７０６に搬送される。１グループ目の３頁から６頁が後処理装置７００に送り込まれ、ステイプラ７０４でステイプルされ、処理トレイ７０６に搬送される。メモリＭ３に一時格納される給紙情報に基づい記録媒体積載位置を決め、整合シフト７０５Ｅを制御し、処理トレイ７０６上で記録媒体束位置をＰ３に対応する位置に整合し、排出部７２０により、積載トレイ７０８の記録媒体積載位置Ｐ３に排出する。同様にして、２グループ目の１頁、２頁が後処理装置７００に送り込まれる。処理トレイ７０６に搬送される。２グループ目の３頁から６頁が後処理装置７００に送り込まれ、ステイプラ７０４でステイプルされる。処理トレイ７０６に搬送される。メモリＭ３に一時格納される給紙情報に基づき記録媒体積載位置を決め、整合シフト７０５Ｅを制御し、処理トレイ７０６上で記録媒体束位置をＰ３に対応する位置に整合し、排出部により積載トレイ７０８の同じ記録媒体積載位置Ｐ３に排出し、図１３（ｂ）に示すように積載する。
【０１００】
次に、「第２モード」の動作について説明する。
【０１０１】
図１に示す原稿Ｄを原稿給装装置６００にセットする。操作部２００Ｂでジョブ内容をセットする。詳しくは、図９に示す基本設定画面２０６でステイプリング有りを指定、コピー数で２部作成を指定する。さらにオフセット有りを指定、頁毎オフセット有りを指定、第２モードを選択する。図１０に示す頁毎設定画面２０７で頁毎セッティグ有りを指定、「Ａｄｄ」を選択する。さらに図１１の頁毎詳細設定画面２０７で、１ステイプル指定、頁番号で３頁から６頁を指定する。
【０１０２】
ジョブのセット内容により決定された記録媒体積載位置情報は、記録媒体毎の給紙タイミングで他の給紙情報と共に、後処理装置７００の制御手段８００ｂへその情報を通知する。後処理装置７００では通知された給紙情報（記録媒体積載位置情報を含む）をメモリＭ３に一時格納する。
【０１０３】
図示しないスタートボタンを押すと、原稿読取装置６００で原稿Ｄが読みとられ、画像形成が形成される。１グループ目の１頁、２頁が後処理装置７００に送り込まれる。処理トレイ７０６に搬送される。１グループ目の３頁から６頁が後処理装置７００に送り込まれ、ステイプラ７０４でステイプルされ、処理トレイ７０６に搬送される。メモリＭ３に一時格納される給紙情報に基づい記録媒体積載位置を決め、整合シフト７０５Ｅを制御し、処理トレイ７０６上で記録媒体束位置をＰ１に対応する位置に整合し、その後、排出部７２０により、積載トレイ７０８の記録媒体積載位置Ｐ１に排出する。同様にして、２グループ目の１頁、２頁が後処理装置７００に送り込まれる。処理トレイ７０６に搬送される。２グループ目の３頁から６頁が後処理装置７００に送り込まれ、ステイプラ７０４でステイプルされる。処理トレイ７０６に搬送される。メモリＭ３に一時格納される給紙情報に基づい記録媒体積載位置を決め、整合シフト７０５Ｅを制御し、処理トレイ７０６上で記録媒体束位置をＰ２に対応する位置に整合し、その後、排出部７２０により積載トレイ７０８の記録媒体積載位置Ｐ２に排出し、図１３（ｃ）に示すように積載する。
【０１０４】
最後に、「第３モード」の動作について説明する。
【０１０５】
原稿Ｄを原稿給装装置６００にセットする（図１参照）。操作部２００Ｂでジョブ内容をセットする。詳しくは、第９の基本設定画面２０６でステイプリング有りを指定、コピー数で２部作成を指定する。さらにオフセット有りを指定、頁毎オフセット有りを指定、第３モードを選択する。図１０に示す頁毎設定画面２０７で頁毎セッティグ有りを指定、「Ａｄｄ」を選択する。図１１に示す頁毎詳細設定画面２０８で、１ステイプル指定、頁番号で３頁から６頁を指定する。
【０１０６】
ジョブのセット内容により決定された記録媒体積載位置情報は、記録媒体毎の給紙タイミングで他の給紙情報と共に、後処理装置７００の制御手段８００ｂへその情報を通知する。後処理装置７００では通知された給紙情報（記録媒体積載位置情報を含む）をメモリＭ３に一時格納する。
【０１０７】
図示しないスタートボタンを押すと、原稿読取装置６００で原稿Ｄが読みとられ、画像形成が形成される。１グループ目の１頁、２頁が後処理装置７００に送り込まれる。処理トレイ７０６に搬送される。メモリＭ３に一時格納される給紙情報に基づいて整合位置を決め、整合シフト７０５Ｅを制御し、処理トレイ７０６上で記録媒体束位置をＰ１に対応する位置に整合し、排出部７２０により排出して、積載トレイ７０８の記録媒体積載位置Ｐ１に排出する。１グループ目の３頁から６頁が後処理装置７００に送り込まれ、ステイプラ７０４でステイプルされ、処理トレイ７０６に搬送される。メモリＭ３に一時格納される給紙情報に基づいて記録媒体積載位置を決め、整合シフト７０５Ｅを制御し、処理トレイ７０６上で記録媒体束位置をＰ３に対応する位置に整合し、排出部７２０により積載トレイ７０８の記録媒体積載位置Ｐ３に排出する。同様にして、２グループ目の１頁、２頁が後処理装置７００に送り込まれる。処理トレイ７０６に搬送され、メモリＭ３に一時格納される給紙情報に基づい記録媒体積載位置を決め、整合シフト７０５Ｅを制御し、処理トレイ７０６上で記録媒体束位置をＰ１に対応する位置に整合し、排出部７２０により積載トレイ７０８の記録媒体積載位置Ｐ１に排出する。２グループ目の３頁から６頁が後処理装置７００に送り込まれ、ステイプラ７０４でステイプルされる。処理トレイ７０６に搬送される。メモリＭ３に一時格納される給紙情報に基づいて記録媒体積載位置を決め、整合シフト７０５Ｅを制御し、処理トレイ７０６上で記録媒体束位置をＰ３に対応する位置に整合し、排出部７２０により積載トレイ７０８の記録媒体積載位置Ｐ３に排出し、図１３（ｄ）に示すように積載する。
【０１０８】
以上により、実施の形態２の画像形成システムによれば、混在モードが設定されると、記録媒体のグループ内において、後処理されない記録媒体と後処理される記録媒体とを積載トレイ上の同じ記録媒体積載位置に積載でき、まとめて取り出しやすくなる。混在モードが設定されたら、オフセット設定がされていても、グループ内において、後処理されない記録媒体と後処理される記録媒体とを積載トレイ上の同じ記録媒体積載位置に積載でき、利便性が向上する。
【０１０９】
また、デフォルト設定では、混在モードの場合には、オフセット指定がされても、オフセットを禁止するので、ジョブ全体の出力物をさらにまとめてオフライン後処理機にセットしたり、箱に包装したりする場合、ユーザーはあらためて出力物を揃える必要がなくなる。
【０１１０】
また、混在モード時のオフセット制御設定画面において、「混在モード時にオフセットする」選択指示し、設定することにより、混在モードでも、グループ単位でのオフセットやサブグループ単位でのオフセットを許可している。そのため、ユーザー毎やジョブ毎に、ユーザーの意図を反映した区切りで記録媒体束をオフセットさせることができ、使い勝手を向上させることができる。
【０１１１】
なお、第１判断部、第２判断部、第３判断部の判断により簡易で確実に記録媒体積載位置の判断の制御ができるようになる。また、この画像形成装置によれば、後処理装置と組み合わせることにより、前述の効果を奏することが可能となる。さらに、このプログラムによれば、画像形成システムを制御できるプログラムとなり、特に、混在モードが設定されたら、グループ内において、後処理されない記録媒体と後処理される記録媒体とを積載トレイ上の同じ記録媒体積載位置に積載するように画像形成システムを制御できるようになる。
【０１１２】
なお、実施の形態１および２について説明したが、これに限定されるものではなく、例えば、実施の形態では、記録媒体の整合シフト部を利用して記録媒体をシフトさせ記録媒体積載位置を変えるようにしたが、積載トレイ自身をシフトさせて記録媒体積載位置を変えるようにしてもよい。また、グループの切り替わりであるかどうかの判断は、２グループ目以降のグループの先頭の記録媒体であるかどうかで判断してもよいし、グループの最後の記録媒体であるかどうかで判断してもよい。また、記録媒体の後処理としては、記録媒体に加工を施す処理が好ましく、特に、ステイプル、パンチ、折りである場合に、特に本実施形態への適用が効果的である。また、混在モードでは、１つのグループ内で複数のステイプルしない記録媒体と、１つのステイプルした束とが混在する場合を代表例として説明したが、例えば、１つのグループにステイプルした複数の束があってもよい。さらに、実施の形態１では、混在モードが設定されたら、グループ内において、後処理されない記録媒体と後処理される記録媒体とを積載トレイ上の同じ記録媒体積載位置に積載させ、且つ画像形成システムを正面より見て、記録媒体積載位置を手前側、奥側の２箇所にシフトさせる例について説明したが、例えば、３箇所以上に切り替えるようにしてもよい。
【図面の簡単な説明】
【０１１３】
【図１】実施の形態に係わる画像形成システムの概略構成を示す断面図である。
【図２】実施の形態１に係わる操作部の基本設定画面を示す図である。
【図３】実施の形態１係わる操作部の頁毎設定画面を示す図である。
【図４】整合シフト部および排出部の構成を示す断面図である。
【図５】整合シフト部における整合シフト板の動作説明図である。
【図６】実施の形態１における積載トレイ上の記録媒体積載位置を示す図である。
【図７】実施の形態１に係わる画像形成システムの電気的構成ブロック図である。
【図８】実施の形態１に係わる積載トレイ上の記録媒体積載位置を判断するフローである。
【図９】実施の形態２に係わる操作部の基本設定画面を示す図である。
【図１０】実施の形態２に係わる操作部の頁毎設定画面を示す図である。
【図１１】実施の形態２に係わる操作部の頁毎詳細設定画面を示す図である。
【図１２】実施の形態２における混在モード設定時に常にオフセットを禁止する場合における積載トレイ上の積載例である。
【図１３】実施の形態２における混在モード設定時にオフセット設定を行う場合の制裁トレイ上の積載例を示す図である。
【図１４】実施の形態２に係わる積載トレイ上の記録媒体積載位置を判断する第１のフローである。
【図１５】実施の形態２に係わる積載トレイ上の記録媒体積載位置を判断する第２のフローである。
【符号の説明】
【０１１４】
１００  画像形成装置
７００  後処理装置
７０８  積載トレイ
８００ａ、８００ｂ  制御手段
８０１  第１判断部
８０２  第２判断部
８０３  第３判断部
Ｓ  記録媒体
Ｇ１  １グループ
Ｇ２  ２グループ
Ｐ１、Ｐ２、Ｐ３  記録媒体積載位置
Ｄ  原稿
【図１】
2006182561.tif 000003
【図２】
2006182561.tif 000004
【図３】
2006182561.tif 000005
【図４】
2006182561.tif 000006
【図５】
2006182561.tif 000007
【図６】
2006182561.tif 000008
【図７】
2006182561.tif 000009
【図８】
2006182561.tif 000010
【図９】
2006182561.tif 000011
【図１０】
2006182561.tif 000012
【図１１】
2006182561.tif 000013
【図１２】
2006182561.tif 000014
【図１３】
2006182561.tif 000015
【図１４】
2006182561.tif 000016
【図１５】
2006182561.tif 000017